(57)【要約】【課題】プラントに敷設された配管の拘束支持体において、従来例より強度が大きくかつ溶接面積の小さい配管支持構造体を提供し、配管の熱膨張、地震等による変位に対し確実に拘束支持する。【解決手段】配管の外周に軸を挟んで固定した少なくとも一対の配管ラグと、配管ラグが係合する支持構造物を設け、配管ラグはほぼＵ字状断面を持ち外周に前記支持構造物と係合する切欠きを有し、前記配管ラグの切欠きと前記支持構造物を係合させて、前記配管を配管軸方向及びこれと直交する一方向又は二方向において拘束支持する。【選択図】図３
2011064288.tif 000002
【特許請求の範囲】
【請求項１】
配管と、配管外周に配管中心軸を挟んで固定した一対の配管ラグと、配管ラグが係合する支持構造物を有する配管支持構造体において、
前記配管ラグは外周に前記支持構造物と係合する切欠きを有し、前記配管ラグの切欠きと前記支持構造物を係合させて、前記配管を配管軸方向及びこれと直交する一方向において拘束支持することを特徴とする配管支持構造体。
【請求項２】
配管と、配管外周に配管中心軸を挟んで固定した二対の配管ラグと、配管ラグが係合する支持構造物を有する配管支持構造体において、
前記配管ラグは外周に前記支持構造物と係合する切欠きを有し、前記配管ラグの切欠きと前記支持構造物を係合させて、前記配管を配管軸方向及びこれと直交する二方向において拘束支持することを特徴とする配管支持構造体。
【請求項３】
請求項２に記載された配管支持構造体において、前記二対の配管ラグは、配管ラグに直交する面内において互いにほぼ直交して配置されたことを特徴とする配管支持構造体。
【請求項４】
請求項１ないし３のいずれかに記載された配管支持構造体において、前記配管ラグはほぼ断面Ｕ字状に形成したＵ字状板の横方向に切欠きを設けたことを特徴とする配管支持構造体。
【請求項５】
請求項４に記載された配管支持構造体において、前記配管ラグはほぼ断面Ｕ字状に形成したＵ字状板の両端に平板を固着したことを特徴とする配管支持構造体。
【発明の詳細な説明】
【技術分野】
【０００１】
本発明は、発電、化学、石油及びゴミ処理等の各種プラントで敷設される配管において、配管の軸方向及び軸直交１方向乃至２方向の位置変位を拘束するために使用される配管ラグを有する配管拘束支持体に関する。
【背景技術】
【０００２】
各種プラントで敷設される配管が、地震等の外力や熱変位等により動いて損傷することを防止するため、これらの動きを拘束する手段として配管の拘束支持体が存在する。
【０００３】
図７、図８に示された拘束支持体は配管２の通される四角形の空間を囲むように支持構造物３を用いる。支持構造物３を構成している水平梁７と垂直柱８に面する配管２の上下左右４ヶ所には４個の配管ラグ（支持金具）１が個々に位置調整されて溶接により固定されている。下部の配管ラグ１は支持構造物３を構成している下部の水平梁７の上面に非固定的に乗せられている。他の配管ラグ１も支持構造物３に囲まれてこれに接している。この構造により配管２の軸と直交する２方向（この場合は上下左右方向）の位置変位を拘束できる。４は躯体５に埋設されて垂直柱８を支持する埋込金物である。
【０００４】
図９、図１０の拘束支持体は、図７、図８に示す従来例の水平方向の配管ラグ１に配管アタッチメント６を接合して配管２の軸方向変位の拘束を実現したものである。配管アタッチメント６は水平方向の２個の配管ラグ１の各々に溶接接合され、さらには支持構造物３の垂直柱８に配管２の軸方向に噛合う切欠きを介して組合わされている。このため、図７、図８の例に比べ、さらに配管２の軸方向の位置変位を拘束できる。類似の構成は特許文献１に開示されている。
【先行技術文献】
【特許文献】
【０００５】
【特許文献１】特開昭６１−２１８８８７号公報
【発明の概要】
【発明が解決しようとする課題】
【０００６】
設備の社会的重要度が高く、高い信頼性を求められる原子力プラントの場合は、溶接作業およびその検査に多大な時間を要する。従って、溶接部及び溶接作業量を極力低減することが求められている。また、現地での溶接工程において、作業スペースが狭い場所では溶接作業が困難になり溶接の精度が低くなる恐れがあり、更なる品質向上を図るために現地溶接作業を低減する必要がある。
【０００７】
従来例に示す配管アタッチメント６は、配管ラグに溶接固定されるため溶接箇所が増加する問題がある。さらに配管ラグの垂直方向に荷重が加わる際の受圧面積が小さく、大きな圧縮応力により変形する可能性がある。
【０００８】
本発明の目的は、配管の熱膨張変位、地震変位等に対して、配管の軸方向及び軸直交１方向乃至２方向の位置変位を確実に拘束できる配管ラグを有する配管支持構造体を提供することである。
【課題を解決するための手段】
【０００９】
本発明は、配管と、配管外周に配管中心軸を挟んで固定した一対の配管ラグと、配管ラグが係合する支持構造物を有する配管支持構造体において、前記配管ラグは外周に前記支持構造物と係合する切欠きを有し、前記配管ラグの切欠きと前記支持構造物を係合させて、前記配管を配管軸方向及びこれと直交する一方向において拘束支持することを特徴とする。
【００１０】
また、配管と、配管外周に配管中心軸を挟んで固定した二対の配管ラグと、配管ラグが係合する支持構造物を有する配管支持構造体において、前記配管ラグは外周に前記支持構造物と係合する切欠きを有し、前記配管ラグの切欠きと前記支持構造物を係合させて、前記配管を配管軸方向及びこれと直交する二方向において拘束支持することを特徴とする。
【００１１】
また、配管支持構造体において、前記二対の配管ラグは、配管ラグに直交する面内において互いにほぼ直交して配置されたことを特徴とする。
【００１２】
また、配管支持構造体において、前記配管ラグはほぼ断面Ｕ字状に形成したＵ字状板の横方向に切欠きを設けたことを特徴とする。
【００１３】
また、配管支持構造体において、前記配管ラグはほぼ断面Ｕ字状に形成したＵ字状板の両端に平板を固着したことを特徴とする。
【発明の効果】
【００１４】
本発明の配管支持構造体は、配管ラグに施された切欠きと支持構造物を噛合せることにより配管の軸方向変位を拘束する構造とすることで、配管ラグと支持構造物の溶接が不要となる。また、配管ラグ自体に切欠きを設ける事により別部材の溶接作業が低減され、配管ラグの耐荷重強度が増大する。
【００１５】
さらに、配管と配管ラグの溶接は工場で行うことにより、現地での溶接作業を必要としないため、据付精度の向上を図ることができる。
【図面の簡単な説明】
【００１６】
【図１】本発明における配管ラグの斜視図である。
【図２】本発明における配管ラグの変形例の斜視図である。
【図３】本発明における実施例１の配管支持構造体の正面図である。
【図４】図３の側面図である。
【図５】本発明における実施例２の配管支持構造体の正面図である。
【図６】図５の側面図である。
【図７】従来例による２方向拘束の配管支持構造体の正面図である。
【図８】図７の側面図である。
【図９】従来例による３方向拘束の配管支持構造体の正面図である。
【図１０】図９の側面図である。
【発明を実施するための形態】
【００１７】
以下に本発明の実施例を図面に付き説明する。
【実施例１】
【００１８】
図１、図２は、本発明の各実施例に使用される配管ラグ１１、１４を示している。図１は、本発明の切欠き１３が施された配管ラグ１１の構造を示している。Ｕ字型に曲げたＵ字状板１２の底部に切欠き１３が直角方向に施されている。切欠き１３の形状は係合する支持構造体３の水平梁７に合わせて形成される。
【００１９】
図２は、変形例による配管ラグ１４を示し、図１のＵ字型に曲げたＵ字状板１２の両側に平板１５を溶接接合して強度を高めたものである。配管ラグ１４の全周にわたって配管２に溶接されるため、固着強度が増す。
【００２０】
図１、図２に示された配管ラグ１１、１４は、以下のように使用される。図３、４に示す実施例１は、配管２が配管軸方向及び軸直交１方向に拘束される支持構造を示す。
【００２１】
図３において、配管ラグ１１は配管２の上下２箇所に固定されている。配管ラグ１と配管２との固定手段は溶接による。
【００２２】
また、躯体５に埋込固定した埋込金物４に垂直な各鋼材を各垂直柱８に利用し、各垂直柱８間に溶接接合により上下２段の鋼材からなる水平梁７を、配管ラグ１１の切欠き１３と噛合せつつ固定して、全体で支持構造物３を構成する。
【００２３】
このため、支持構造物３には上下の水平梁７と左右の垂直柱８とで囲われた四角形の空間が形成され、配管２を通す通路として利用されている。
【００２４】
このような実施例１によれば、配管２が配管ラグ１１に固定され、その配管ラグ１１が支持構造物３に配管軸方向及び配管軸直交１方向に固定されているから、配管２は地震などの外部からの力や配管２自身の熱変位による動きに対しても、拘束方向に対しての動きは阻止されて一定の位置に拘束されて支持構造物３により支持される。
【実施例２】
【００２５】
図５、図６に示した実施例２は、配管２の軸方向及び軸直交２方向の位置変位が拘束される配管支持構造体である。
【００２６】
実施例１と同じく支持構造物３の垂直柱８が躯体５に設けた埋込金物４に固定され、支持構造物３で形成された四角形の空間内に、配管２に固定された配管ラグ１１が配置される。
【００２７】
実施例２は、実施例１と比べて配管ラグ１１が配管の上下左右に溶接接合されており、配管ラグ１１が支持構造物３の水平梁７と垂直柱８とに噛合って組み合わされている。
【００２８】
このような構成によれば、配管２が配管ラグ１１に固定され、配管ラグ１１が支持構造物３に固定され、配管軸方向及び軸直交２方向の動きが確実に阻止されて、配管２は一定の位置に拘束され支持構造物３により安定的に支持される。
【００２９】
本発明の配管支持構造体は、溶接作業量削減により現地作業工数を低減することができる。また、溶接作業量削減により配管ラグの構造信頼性が向上しプラント運転時のトラブルポテンシャルを軽減できる。さらに、配管ラグに工場での加工品を使用することで現地調整作業低減による現地据付性が向上する。
【符号の説明】
【００３０】
１、１１、１４  配管ラグ
２  配管
３  支持構造物
４  埋込金物
５  躯体
６  配管アタッチメント
７  水平梁
８  垂直柱
１２  Ｕ字状板
１３  切欠き
１５  平板
【図１】
2011064288.tif 000003
【図２】
2011064288.tif 000004
【図３】
2011064288.tif 000005
【図４】
2011064288.tif 000006
【図５】
2011064288.tif 000007
【図６】
2011064288.tif 000008
【図７】
2011064288.tif 000009
【図８】
2011064288.tif 000010
【図９】
2011064288.tif 000011
【図１０】
2011064288.tif 000012